(57)【要約】【課題】スイッチギヤの複数の構成部品２を一体で筐体１３に取り付けることができると共に、それらの構成部品２を保管する場合にパレットを不要とする。【解決手段】スイッチギヤの筐体１３のガイドレール１４に固定可能なスイッチギヤ用の固定部材１であって、スイッチギヤ用の固定部材１は、スイッチギヤの構成部品２を固定する固定枠３と、固定枠３の下部に連結され、固定枠３と反対側に空間部６を有する床部４とを備えている。【選択図】図１
2020080585.tif 000002
【特許請求の範囲】
【請求項１】
スイッチギヤの筐体に固定可能なスイッチギヤ用の固定部材であって、
前記スイッチギヤ用の固定部材は、前記スイッチギヤの構成部品を固定する固定枠と、
前記固定枠の下部に連結され、前記固定枠が連結された側と反対側に空間部を有する床部と
を備えたことを特徴とするスイッチギヤ用の固定部材。
【請求項２】
前記床部は、前記固定枠と反対側に複数の突出部を有し、複数の前記突出部の間に前記空間部を有する
ことを特徴とする請求項１に記載のスイッチギヤ用の固定部材。
【請求項３】
前記空間部は、運搬機器の支持部材が挿入可能である
ことを特徴とする請求項１または２に記載のスイッチギヤ用の固定部材。
【請求項４】
さらに吊り下げ可能な吊り具を備えた
ことを特徴とする請求項１から３のいずれか１項に記載のスイッチギヤ用の固定部材。
【請求項５】
請求項１から４のいずれか１項に記載のスイッチギヤ用の固定部材と、
このスイッチギヤ用の固定部材に固定された前記構成部品と、
ガイドレールが設けられた筐体と
を備えたスイッチギヤであって、
前記スイッチギヤ用の固定部材の空間部に前記ガイドレールが位置した状態で前記床部と前記ガイドレールとが締結されている
ことを特徴とするスイッチギヤ。
【発明の詳細な説明】
【技術分野】
【０００１】
本願は、スイッチギヤの筐体に複数の構成部品を取り付けるためのスイッチギヤ用の固定部材とそれを備えたスイッチギヤに関する。
【背景技術】
【０００２】
ビルおよび工場などの受配電設備の一つであるスイッチギヤは、遮断器と呼ばれる電気の回路を開閉する装置が収納されている。一般に、スイッチギヤの筐体内部に収納される引出型遮断器などの構成部品の取り付け、取り外しおよび運搬にはリフタが使用されている。例えば、引出型遮断器を載置可能な荷台部と、この荷台部に着脱可能に設けられ、遮断器テーブルを支持するアタッチメント部材とを備えたリフタが開示されている（例えば、特許文献１参照）。
【先行技術文献】
【特許文献】
【０００３】
【特許文献１】特開２０１７−２１０２９８号公報
【発明の概要】
【発明が解決しようとする課題】
【０００４】
しかしながら、従来のリフタにおいては、引出型遮断器と遮断器テーブルなどの他の構成部品とを一体でスイッチギヤの筐体に取り付けることができず、作業が煩雑となる。また、引出型遮断器および他の構成部品などを保管する場合にはそれらを保管用のパレットに載置する必要があり、それらの機器をスイッチギヤの筐体に取り付ける場合にはクレーンなどを用いて一旦パレットから離す必要がある。
【０００５】
本願は、上述の課題を解決するためになされたものであり、スイッチギヤの複数の構成部品を一体で筐体に取り付けることができると共に、それらの構成部品を保管する場合にパレットを不要とすることを目的とする。
【課題を解決するための手段】
【０００６】
本願に係るスイッチギヤ用の固定部材は、スイッチギヤの筐体のガイドレールに固定可能なものであって、スイッチギヤの構成部品を固定する固定枠と、固定枠の下部に連結され、固定枠と反対側に空間部有する床部とを備えたものである。
【発明の効果】
【０００７】
本願のスイッチギヤ用の固定部材は、スイッチギヤの構成部品を固定する固定枠と、固定枠の下部に連結され、固定枠と反対側に空間部を有する床部とを備えているので、複数の構成部品を一体で筐体に取り付けることができると共に、それらの構成部品を保管する場合にパレットを不要とすることができる。
【図面の簡単な説明】
【０００８】
【図１】実施の形態１に係るスイッチギヤ用の固定部材を示す正面図である。
【図２】実施の形態１に係るスイッチギヤ用の固定部材を示す側面図である。
【図３】実施の形態１におけるスイッチギヤの構成部品を取り付ける方法を説明する側面図である。
【図４】実施の形態１におけるスイッチギヤを示す一部正面図である。
【図５】実施の形態１におけるスイッチギヤを示す斜視図である。
【図６】実施の形態２に係るスイッチギヤ用の固定部材を示す側面図である。
【発明を実施するための形態】
【０００９】
以下、本願を実施するための実施の形態に係るスイッチギヤ用の固定部材について図面を参照して詳細に説明する。なお、各図において同一符号は同一もしく相当部分を示している。
【００１０】
実施の形態１．
図１は、実施の形態１に係るスイッチギヤ用の固定部材をスイッチギヤの筐体に取り付けるときの筐体への挿入側から見た正面図である。図２はスイッチギヤ用の固定部材を横から見た側面図である。
【００１１】
図１において、スイッチギヤ用の固定部材１は、スイッチギヤの構成部品２を固定する固定枠３とこの固定枠３の下部に連結された床部４とで構成されている。スイッチギヤの構成部品２としては、引出型遮断器、母線などである。固定枠３は、金属製で矩形の枠形に板状の桟を備えたものであり、その枠形状の内部に構成部品２がボルトなどで固定されている。固定枠３に固定される構成部品２の個数は、一つであっても複数であってもよい。床部４は、金属製で矩形の板状のものであり、４辺のうちの対向する２辺の端部が下方に屈曲されている。この下方に屈曲された突出部５の間の空間部６は、運搬機器であるリフタのフォークまたはバケットなどが入る空間となっている。
【００１２】
図３は、本実施の形態におけるリフタ１１を用いてスイッチギヤの構成部品をスイッチギヤの筐体に取り付ける方法を説明する側面図である。図３に示すように、リフタ１１のフォーク１２をスイッチギヤ用の固定部材１の床部４の下部の空間部に挿入し、スイッチギヤ用の固定部材１をフォーク１２ですくい上げてスイッチギヤの筐体１３の内部に取り付ける。
【００１３】
図４は、スイッチギヤ用の固定部材が筐体に取り付けられたスイッチギヤを示す正面図である。また、図５は、スイッチギヤを示す斜視図である。なお、スイッチギヤの筐体１３は、骨組み部、側板および天板などを備えているが、図４および図５においては、スイッチギヤ用の固定部材を明示するために、側板および天板などを省略している。
【００１４】
図４および図５に示すように、スイッチギヤ用の固定部材１の突出部５は、筐体１３のガイドレール１４にスライドするように構成されており、スイッチギヤ用の固定部材１は、突出部５をガイドレール１４にスライドさせて固定位置まで移動される。
【００１５】
床部４には、ボルトを貫通させるための貫通穴１５が形成されており、この貫通穴１５を利用してガイドレール１４と床部４とをボルトで締結する。貫通穴１５がガイドレール１４の所定の位置とずれている場合は、スイッチギヤ用の固定部材１をスライドさせて所定の位置へ移動させる。
【００１６】
このように構成されたスイッチギヤ用の固定部材は、固定枠の内部に複数の構成部品を固定することができるので、スイッチギヤ用の固定部材をスイッチギヤの筐体に取り付ける１回の作業で複数の構成部品を一体で筐体に取り付けることができる。
【００１７】
また、床部の下方に形成された複数の突出部の間の空間部には、運搬機器であるリフタのフォークまたはバケットなどが入るので、リフタで移動させることができると共に、保管するときには床部がパレットの役割を担うことができるのでパレットを不要とすることができる。また、固定枠の内部に複数の構成部品を固定した状態で保管できる。
【００１８】
なお、本実施の形態においては、固定枠として金属製で矩形の枠形状のものを用いたが、スイッチギヤの構成部品を固定できるものであればどのような素材、形状であってもよい。
【００１９】
また、床部として金属製で矩形の板状のもの用いたが、固定枠を支えることができるものであればどのような素材、形状であってもよい。さらに、矩形の床部の４辺のうちの対向する２辺の端部が下方に屈曲された部分を突出部としたが、運搬機器であるリフタのフォークおよびバケットなどが入る空間部を床部の下部に形成できるのであれば別の構成であってもよい。
【００２０】
なお、パレットの替わりとして床部を用いるため、突出部は、スイッチギヤ用の固定部材に固定されたスイッチギヤの構成部品などの重量を支えること、保管するときに簡単に移動しないことが求められるため、十分な強度と設置安定性が必要である。
【００２１】
実施の形態２．
図６は、実施の形態２に係るスイッチギヤ用の固定部材を示す側面図である。本実施の形態のスイッチギヤ用の固定部材は、実施の形態１のスイッチギヤ用の固定部材に吊り具を追加したものである。
【００２２】
図６において、実施の形態１と同様な構成のスイッチギヤ用の固定部材１の床部４の四隅の近辺に吊り具２１を取り付けたものである。この吊り具２１は、フックなどでスイッチギヤ用の固定部材１を吊り上げることが可能なもので、例えば貫通穴２２が形成されている。
【００２３】
このように構成されたスイッチギヤ用の固定部材は、実施の形態１と同様に、固定枠の内部に複数の構成部品を固定することができるので、スイッチギヤ用の固定部材をスイッチギヤの筐体に取り付ける１回の作業で複数の構成部品を一体で筐体に取り付けることができる。
【００２４】
また、床部の下方に形成された複数の突出部の間の空間部には、運搬機器であるリフタのフォークおよびバケットなどが入るので、リフタで移動させることができると共に、保管するときには床部がパレットの役割を担うことができるのでパレットを不要とすることができる。
【００２５】
さらに、本実施の形態のスイッチギヤ用の固定部材は、リフタの作業スペースのない狭い保管場所であっても吊り具を活用してクレーンなどで吊り上げることができるので、狭い保管場所の上部空間を利用してスイッチギヤ用の固定部材を運搬することができる。
【００２６】
また、スイッチギヤの筐体の最下段にスイッチギヤ用の固定部材を取り付ける際に、スイッチギヤの筐体の下部の空間が狭くリフタのフォークが入らない場合には、吊り具を活用して吊り下げた状態でスイッチギヤ用の固定部材を適正な位置に移動させることができる。
【００２７】
本願は、様々な例示的な実施の形態が記載されているが、１つまたは複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００２８】
１  固定部材、  ２  構成部品、  ３  固定枠、  ４  床部、  ５  突出部、  ６  空間部、  １１  リフタ、  １２  フォーク、  １３  筐体、  １４  ガイドレール、  １５  貫通穴、  ２１  吊り具、  ２２  貫通穴。
【図１】
2020080585.tif 000003
【図２】
2020080585.tif 000004
【図３】
2020080585.tif 000005
【図４】
2020080585.tif 000006
【図５】
2020080585.tif 000007
【図６】
2020080585.tif 000008